(57)【特許請求の範囲】
【請求項１】
貯蔵室と他の貯蔵室とを仕切り、かつ、内部に発泡ウレタンが充填されている仕切板と、前記仕切板の内面に設けられている橋形状のリブとを備え、前記リブと前記仕切板の内面との間に前記発泡ウレタンが流れ込んで固化し、前記リブは前記仕切板の内面に複数設けられ、前記仕切板の前部に設けられている前記リブの長さは、前記仕切板の後部に設けられている前記リブの長さよりも長いことを特徴とする冷蔵庫。
【請求項２】
前記仕切板に前記発泡ウレタンを充填する充填口の近傍に前記リブが設けられていることを特徴とする請求項１に記載の冷蔵庫。
【請求項３】
前記リブは、前記仕切板の上側の面の内面に設けられていることを特徴とする請求項１または２に記載の冷蔵庫。
【請求項４】
前記リブは、前記仕切板の下側の面の内面に設けられていることを特徴とする請求項１または２に記載の冷蔵庫。
【発明の詳細な説明】
【技術分野】
【０００１】
本発明は冷蔵庫、特に冷蔵庫内の貯蔵室間を仕切る仕切板構成に関するものである。
【背景技術】
【０００２】
一般に冷蔵庫は、冷蔵庫本体内に仕切板を設けて、冷蔵室、冷凍室、野菜室等の貯蔵室を形成しており、上記仕切板、例えば冷蔵室と冷凍室との間を仕切る仕切板は冷蔵庫本体を構成する内・外箱間と同様その内部に発泡ウレタンを充填して、断熱性を持たせた構成としてある（例えば、特許文献１参照）。
【０００３】
図１１は上記特許文献１に記載された冷蔵庫を示し、この冷蔵庫は、冷蔵庫本体１００内を断熱仕切板１０１によって冷蔵室１０２と冷凍室１０３に仕切ってあり、その仕切板１０１はその上表面板１０１ａと下表面板１０１ｂとの間の中空部に発泡ウレタン１０４を充填して構成してある。
【先行技術文献】
【特許文献】
【０００４】
【特許文献１】特開２０１１−１９１０２６号公報
【発明の概要】
【発明が解決しようとする課題】
【０００５】
上記特許文献１に記載された冷蔵庫は、断熱仕切板１０１内に発泡ウレタン１０４を充填しているので断熱性が高く、断熱仕切板１０１の板厚を薄くして冷蔵室１０２および冷凍室１０３の容積を減じることなく断熱性を確保することができる、という利点がある。特に冷蔵室１０２と冷凍室１０３とは冷却温度帯が大きく異なるので、これら両者間を仕切る仕切板に適用すれば効果が大きい。
【０００６】
しかしながら、上記断熱仕切板１０１の上表面板１０１ａおよび下表面板１０１ｂはポリプロピレン樹脂で構成されていて、発泡ウレタン１０４との密着性が悪く、場合によっては両者の間に剥離が生じ、断熱仕切板１０１の冷蔵室底面となる上表面板１０１ａの一部に浮き変形等が生じることがあった。
【０００７】
本発明はこのような点に鑑みてなしたもので、仕切板の表面板と発泡ウレタンとの間の剥離を抑制可能な冷蔵庫の提供を目的としたものである。
【課題を解決するための手段】
【０００８】
本発明は、上記目的を達成するため、貯蔵室と他の貯蔵室とを仕切り、かつ、内部に発泡ウレタンが充填されている仕切板と、前記仕切板の内面に設けられている橋形状のリブとを備え、前記リブと前記仕切板の内面との間に前記発泡ウレタンが流れ込んで固化し、前記リブは前記仕切板の内面に複数設けられ、前記仕切板の前部に設けられている前記リブの長さは、前記仕切板の後部に設けられている前記リブの長さよりも長いことを特徴とする。
【発明の効果】
【００１０】
本発明は、上記構成により、仕切板の表面板と発泡ウレタンとの剥離を抑制できる。
【図面の簡単な説明】
【００１１】
【図１】本発明の実施の形態１における冷蔵庫の斜視図
【図２】同実施の形態１における冷蔵庫の概略縦断面図
【図３】同実施の形態１における冷蔵庫の内部を示す斜視図
【図４】同実施の形態１における冷蔵庫の仕切板装着部分を示す斜視図
【図５】同実施の形態１における冷蔵庫の仕切板を示す斜視図
【図６】同実施の形態１における冷蔵庫の仕切板の要部を示す断面図
【図７】同実施の形態１における冷蔵庫の仕切板を示す分解斜視図
【図８】同実施の形態１における冷蔵庫の仕切板の上表面板内面を示す斜視図
【図９】（ａ）同実施の形態１における冷蔵庫の仕切板の上表面板を示す背面図、（ｂ）同底面図
【図１０】同実施の形態１における冷蔵庫の扉軸支部分を示す図６のＡＡ断面図
【図１１】従来の冷蔵庫の断面図
【発明を実施するための形態】
【００１２】
第１の発明は、冷蔵庫本体と、冷蔵庫本体内に複数の貯蔵室を形成する仕切板と、前記各貯蔵室を開閉する扉とを備え、前記仕切板はその内部の中空状部分に発泡ウレタンを充填して構成し、かつ、前記仕切板はその表面板内面に鉤状部分を有するリブを設け、このリブを前記発泡ウレタン中に埋没させた構成としてある。
【００１３】
これにより、仕切板の表面板内面に設けたリブの鉤状部分が発泡ウレタンと機械的に結合する形となり、仕切板の表面板が発泡ウレタンから剥離するのを抑制することができる。
【００１４】
第２の発明は、第１の発明において、前記冷蔵庫本体は内外箱間に発泡ウレタンを充填して構成するとともに、仕切板は前方左右に前記冷蔵庫本体の内外箱間に連通するウレタン充填口を設け、かつ、リブは橋形状として前記ウレタン充填口の開口面と交差するように配置した構成としてある。
【００１５】
これにより、冷蔵庫本体への発泡ウレタン充填によって仕切板への発泡ウレタン充填が同時に行え、しかもウレタン充填口から仕切板内に流れ込む発泡ウレタンが仕切板の表面板内面と橋形状のリブとの間に確実に流れ込んで固化し、かつリブの発泡ウレタンと機械的に結合する鉤状部分が橋形状の両端二箇所となり、発泡ウレタンと橋形状のリブとの機械的結合が確実かつ強力なものとなる。したがって、冷蔵庫本体と仕切板との発泡ウレタン同時充填による生産性の向上を図りつつ、仕切板の表面板と発泡ウレタンとの剥離もより確実かつ強力に防止することができる。
【００１６】
第３の発明は、第１または第２の発明において、前記リブは橋形状として仕切板の前部と後部にそれぞれ左右複数列設するとともに、前部に設けたリブの前後長は後部に設けたリブの前後長よりも長くした構成としてある。
【００１７】
これにより、仕切板前部における仕切板の表面板とリブとの機械的結合を強く広範囲にわたるものとすることができ、扉を開けたときに目につきやすい仕切板前部における剥離を効果的に防止することができる。
【００１８】
第４の発明は、第１〜第３の発明において、前記仕切板の左右両端部に扉を軸支するとともに、仕切板の表面板内面にはリブを左右方向に複数設け、このリブのうち前記扉軸支部近傍のリブは他のリブよりも仕切板の前端面寄り部分に設けた構成としてある。
【００１９】
これにより、扉を軸支した仕切板の左右における仕切板の表面板とリブとの機械的結合
が扉軸支部に近い前端面側で行われるようになり、扉荷重が加わって表面板と発泡ウレタンとの剥離が生じやすい扉軸支部近傍の剥離をより効果的に抑制することができる。
【００２０】
以下、本発明の実施の形態について、図面を参照しながら説明する。なお、この実施の形態によって本発明が限定されるものではない。
【００２１】
（実施の形態１）
図１は本発明の実施の形態１における冷蔵庫の外観斜視図、図２は同冷蔵庫の概略縦断面図、図３は同冷蔵庫の内部を示す斜視図、図４は同冷蔵庫の仕切板装着部分を示す斜視図、図５〜図１０は同冷蔵庫の仕切板構成を示す図である。
【００２２】
図１〜図４において、この実施の形態における冷蔵庫は、その冷蔵庫本体１が、前方に開口する金属製の外箱２と、ＡＢＳ等の硬質樹脂からなる内箱３と、これら外箱２と内箱３との間に発泡充填した硬質の発泡ウレタン４からなる。なお、図２に太線で示す部分は真空断熱材である。
【００２３】
上記冷蔵庫本体１はその内部に、冷蔵室５と、冷蔵室５の下に位置する切替室６及び切替室６に並設した製氷室７と、切替室６及び製氷室７の下部に位置する冷凍室８と、冷凍室８の下部に位置する野菜室９等の複数の貯蔵室を有する。そして、前記冷蔵室５の底面後方部にはパーシャル室５ａが設けられている。
【００２４】
冷蔵室５は冷蔵保存のために凍らない温度である冷蔵温度帯に設定されており、通常１℃から５℃とし、野菜室９は冷蔵室５と同等の冷蔵温度帯もしくは若干高い温度設定の野菜温度帯２℃から７℃としている。冷凍室８は冷凍温度帯に設定されており、冷凍保存のために通常−２２℃から−１５℃で設定されているが、−３０℃や−２５℃の低温で設定されることもある。切替室６は冷凍室８と同等の冷凍温度帯または若干高い温度−２０℃から−１２℃に冷却される。
【００２５】
また、前記複数の貯蔵室のうち冷蔵室５の前面は、観音開き式の扉１０（１０ａ，１０ｂ）により開閉自在とし、切替室６及び製氷室７と冷凍室８と野菜室９の前面部は引き出し式の扉１１，１２，１３，１４によって開閉自在としてある。
【００２６】
上記各扉１０〜１４は冷蔵庫本体１と同様硬質の発泡ウレタンを発泡充填して断熱性を持たせてあり、更に意匠性を向上させるべくその前面はガラス板を装着して構成したガラス扉としてある。そして、前記冷蔵室５の前面の観音開き式の扉１０（１０ａ，１０ｂ）はその一側端上下部分を冷蔵庫本体１の左右側板部１ａに装着したヒンジ部材１５（図６参照）によって軸支してあり、その一方の扉１０ａは他方の扉１０ｂよりも大きく構成されている。
【００２７】
一方、冷蔵庫本体１の背面には冷却室１６があり、冷気を生成する冷却器１７と、冷気を冷蔵室５、冷凍室８、野菜室９等の各室に供給する送風ファン１８とが設けてある。そして、上記冷蔵庫本体１の本体天面奥部には圧縮機１９が設けてあり、コンデンサ（図示せず）と、放熱用の放熱パイプ（図示せず）と、キャピラリーチューブ（図示せず）と、前記した冷却器１７とを順次環状に接続してなる冷凍サイクルに炭化水素系冷媒である例えばイソブタン冷媒を封入し、冷却運転を行うように構成してある。
【００２８】
更に前記冷却器１７の下部空間には冷却時に付着する霜や氷を除霜するためのラジアントヒータ２１が設けられ、さらにその下部には庫外に貫通したドレンチューブ２２が設置されている。
【００２９】
ここで、上記冷蔵庫本体１は、既述したように冷蔵室５、切替室６及びこれに並設した製氷室７、冷凍室８、野菜室９等の複数の貯蔵室を有しているが、この各貯蔵室は仕切板２３、２４、２５により本体内を仕切ることによって形成している。
【００３０】
上記仕切板２３、２４、２５のうち、冷蔵室５と切替室６及びこれに並設した製氷室７との間を仕切る仕切板２３は、図７に示すように、冷気通路形成用のダクト部材２６、２７やダンパ部材２８を介して上表面板２３ａと下表面板２３ｂとを組み合わせ、この上表面板２３ａと下表面板２３ｂの前板２９および側板３０とダクト部材２６と間の中空部分に発泡ウレタン４を充填し構成してある。
【００３１】
そして、上記仕切板２３の前面には霜取りヒータ装着用板３１を介して仕切前板３２が装着してあり、その左右両端部分に補強金具３３を配置し、その前面に仕切前板３２を装着して前記したヒンジ部材１５をビス止め固定し、仕切板２３上方に形成される冷蔵室の扉１０（１０ａ，１０ｂ）を軸支している。
【００３２】
ここで、上記仕切板２３は、図８、図９に示すように、冷蔵室５の底面となる上表面板２３ａの内面にリブ３４が一体に設けてある。このリブ３４は、図６に示すように、仕切板２３の中空部分に充填した発泡ウレタン４中に埋没してこれと機械的に結合可能な鉤状形状、この実施の形態では両端に鉤状部分Ｘが存することになる橋形状に形成してある。
【００３３】
そして、上記リブ３４は、図８、図９から明らかなように、仕切板２３の前部と後部にそれぞれ左右複数個列設するとともに、前部に設けたリブ３４ａの前後長Ｌは後部に設けたリブ３４ｂの前後長ｌよりも長くした構成としてある。
【００３４】
更に、前記リブ３４は上表面板２３ａの側板前方部分に設けたウレタン充填口３５の開口面と交差する前後方向に配置してある。
【００３５】
以上のように構成した冷蔵庫について、次にその作用効果について説明する。
【００３６】
まず、仕切板２３へのウレタン充填を説明しておくと、この冷蔵庫では、図７に示す仕切板２３の上表面板２３ａと下表面板２３ｂとを組み合わせてあらかじめ中空状の仕切板２３を構成し、この仕切板２３を冷蔵庫本体１に組み込む。この状態で冷蔵庫本体１の内箱外箱間に発泡ウレタン４を充填する。
【００３７】
これにより発泡ウレタン４が冷蔵庫本体１の内外箱間のウレタン放出口（図示せず）からウレタン充填口３５を介し仕切板２３の中空部分にも流れ込んで固化し、仕切板２３が冷蔵庫本体１に一体形成される。
【００３８】
このようにして構成したこの冷蔵庫の仕切板２３は、その表面板内面に橋形状のリブ３４があって、この橋形状のリブ３４が仕切板２３の発泡ウレタン４中に埋没していることにより、当該リブ３４が発泡ウレタン４と機械的に結合する形となる。
【００３９】
すなわち、リブ３４の橋形状部分と上表面板２３ａとの間に発泡ウレタン４が流れ込んで固化し、発泡ウレタン４とリブ３４の橋形状両端鉤状部分とが機械的に結合する形となる。
【００４０】
したがって、仕切板２３の上表面板２３ａが発泡ウレタン４から剥離するのを抑制することができる。
【００４１】
特に、この実施の形態ではリブ３４を橋形状としているから、橋形状両端の二箇所でリ
ブ３４が仕切板２３の上表面板２３ａと連結した形となる。したがって、発泡ウレタン４とリブ３４との機械的結合がより強力なものとなって、剥離防止効果が高いものとなる。すなわち、発泡ウレタン４と機械的結合が可能な鉤状部分Ｘを有する形状としては略Ｌ字状のものが考えられるが、この場合は発泡ウレタン４と機械的に結合する鉤状部分が一箇所で片持ち梁形状となって強度的に若干劣るが、橋形状とすれば発泡ウレタン４と機械的に結合する鉤状部分は橋形状両端の二箇所となって両持ち梁形状となるので機械的結合力が強力なものとなるのである。
【００４２】
また、この実施の形態では、上記橋形状のリブ３４は仕切板２３の前方左右に設けたウレタン充填口３５の開口面と交差するように設けてあるから、ウレタン充填口３５から仕切板２３の中空部分に流れ込む発泡ウレタン４は、仕切板２３の上表面板２３ａ内面とリブ３４の橋形状部分との間に確実に流れ込んで充填固化することになる。したがって、発泡ウレタン４と橋形状のリブ３４との機械的結合は確実なものとなり、より確実に仕切板２３の上表面板２３ａと発泡ウレタン４との剥離を抑制することができる。
【００４３】
更に、上記仕切板２３は冷蔵庫本体１への発泡ウレタン充填によって同時に発泡ウレタンを充填することができるから、生産性を高めつつ仕切板２３の上表面板２３ａと発泡ウレタン４との剥離防止を行うことができる。
【００４４】
また、前記橋形状のリブ３４は仕切板２３の前部と後部にそれぞれ左右複数列設するとともに、前部に設けたリブ３４ａの前後長Ｌは後部に設けたリブ３４ｂの前後長ｌよりも長くしてあるから、仕切板前部における上表面板２３ａと橋形状のリブ３４との機械的結合を仕切板全部全域にわたってより強力に行うことができる。
【００４５】
したがって、扉１０を開けたときに目につきやすい仕切板２３前部における剥離を効果的に防止することができる。特にこの実施の形態では、仕切板２３の後部はパーシャル室５ａで覆われていて前部のみが扉開成時に目につくので効果的である。
【００４６】
更に、前記仕切板２３の扉軸支部近傍に位置するリブ３４ａａは他の中心部寄り部分のリブ３４ａｂよりも仕切板２３の前端面寄り部分に設けてあるから、扉１０を軸支した仕切板２３左右部分の上表面板２３ａとリブ３４との機械的結合が前端面側で行われるようになる。
【００４７】
したがって、扉荷重が加わって前下がり状態に変形しやすい仕切板２３両端の軸支持部近傍の上表面板２３ａと発泡ウレタン４との剥離を効果的に抑制することができる。
【００４８】
加えて、仕切板２３の扉軸支部近傍に位置するリブ３４ａａ以外の他の中心部寄り部分のリブ３４ａｂは仕切板２３の前後方向略中央部分に位置することになって仕切板２３略中央部分の上表面板２３ａと発泡ウレタン４との機械的結合を確保するので、仕切板２３全面に亘って良好な機械的結合を確保することができる。
【００４９】
更にこの実施の形態では、図１０に示すように、前記仕切板２３の左右の軸支持部分となる前端面には補強金具３３を設け、この補強金具３３の端部３３ｂを冷蔵庫本体１の側板部前端面１ａａまで伸ばしてこの側板部前端面１ａａにビス止め固定してあるから、仕切板２３の軸支持部分の前下がり変形をこの補強金具３３によっても確実に防止でき、仕切板２３の軸支持部分近傍の上表面板２３ａと発泡ウレタン４との剥離をより効果的に抑制することができる。
【００５０】
すなわち、補強金具３３の端部３３ｂを冷蔵庫本体１の側板部前端面１ａａまで伸ばして固定したことにより、仕切板２３の扉軸支部にかかる扉１０の荷重は補強金具３３を固
定した冷蔵庫本体１の側板部前端面１ａａによっても支持されるようになり、仕切板２３前端面の前下がり変形を強力に防止できるようになるのである。
【００５１】
これにより、前記扉軸支部近傍に位置するリブ３４ａａを他の中心部寄り部分のリブ３４ａｂよりも仕切板２３の前端面寄り部分に設けたことによる効果と相まってより効果的に仕切板２３の軸支部近傍の上表面板２３ａと発泡ウレタン４との剥離を防止できるのである。
【００５２】
以上、本発明に係る冷蔵庫について、上記実施の形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【００５３】
例えば、この実施の形態では、仕切板２３の表面板内面に設けたリブ３４は橋形状の形態としたが、これは発泡ウレタン４中に埋没してこれと機械的に結合可能な鉤状部分Ｘを有する形状、例えば既述した略Ｌ字状の形態であってもよいものである。
【００５４】
また、リブ３４は仕切板２３の冷蔵室底面となる上表面板２３ａに設けたものを例示したが、これは切替室６及び製氷室７の天井面となる下表面板２３ｂ側にも設けてもよいものである。そして、リブ３４を設ける仕切板としては仕切板２３に限られず他の仕切板２４、２５、すなわち貯蔵室の間を仕切る仕切板のいずれであってもよいものである。
【００５５】
更に、仕切板２３には前後に分けてリブ３４を設けたが、剥離防止を必要とする部分のみに設けてもよいものである。
【００５６】
また、仕切板２３の前後に分けてリブ３４を設ける場合、後部に設けたリブ３４は前部に設けたリブ３４よりも短くしたが、これは同じ長さにしてもよいし、前部に設けたリブ３４のうち、軸支部近傍のリブ３４は仕切板前端面寄り部分に設けたが、他のリブ３４も仕切板前端部分に設けてその前後長を後方へ長く延ばすことにより仕切板略中央部分での剥離防止も確保可能としてもよいものである。
【産業上の利用可能性】
【００５７】
本発明は、貯蔵室を仕切る仕切板の表面板と発泡ウレタンとの剥離を抑制でき、表面板の浮き変形等がない品質の高い冷蔵庫とすることができる。よって、家庭用および業務用など様々な種類および大きさの冷蔵庫に広く適用可能である。
【符号の説明】
【００５８】
１  冷蔵庫本体
４  発泡ウレタン
５  冷蔵室
６  切替室
７  製氷室
８  冷凍室
９  野菜室
１０、１０ａ，１０ｂ  扉
１１、１２、１３、１４  扉
１６  冷却室
１７  冷却器
１８  送風ファン
１９  圧縮機
２３、２４、２５  仕切板
２３ａ  上表面板
２３ｂ  下表面板
２６、２７  ダクト部材
２８  ダンパ部材
２９  前板
３０  側板
３１  霜取りヒータ装着用板
３２  仕切前板
３３  補強金具
３４  リブ
３５  ウレタン充填口
Ｘ  鉤状部分
【図１】
0006782394.tif 000002
【図２】
0006782394.tif 000003
【図３】
0006782394.tif 000004
【図４】
0006782394.tif 000005
【図５】
0006782394.tif 000006
【図６】
0006782394.tif 000007
【図７】
0006782394.tif 000008
【図８】
0006782394.tif 000009
【図９】
0006782394.tif 000010
【図１０】
0006782394.tif 000011
【図１１】
0006782394.tif 000012